(57)【要約】      （修正有）【課題】タグを貼り合わせるときにアンテナ基材を取り除くことにより、タグ自体が柔軟になり、かつＲＦＩＤ業界高温高湿、温度循環及び耐折曲性の信頼性基準以上に達することができる高信頼性フレキシブルタグを提供する。【解決手段】高信頼性フレキシブルタグは、軟質面材１と、底材７とを含み、軟質面材と底材との間にアンテナ４と、チップ５とが設けられ、チップは、アンテナ上に置かれ、軟質面材とアンテナとの間には、第１の接着剤２が設けられ、チップと底材との間には、第２の接着剤６が設けられる。【選択図】図１
0003225905.tif 000002
【実用新案登録請求の範囲】
【請求項１】
軟質面材（１）と、底材とを含み、
前記軟質面材（１）と前記底材との間にアンテナ（４）と、チップ（５）とが設けられ、
前記チップ（５）は、前記アンテナ（４）上に置かれ、
前記軟質面材（１）と前記アンテナ（４）との間には、第１の接着剤（２）が設けられ、
前記チップ（５）と前記底材との間には、第２の接着剤（６）が設けられることを特徴とする高信頼性フレキシブルタグ。
【請求項２】
前記底材は、可撓性材料（７）又は離型層（８）であることを特徴とする請求項１に記載の高信頼性フレキシブルタグ。
【請求項３】
前記可撓性材料（７）は、布地、フィルム類又は合成紙類であることを特徴とする請求項２に記載の高信頼性フレキシブルタグ。
【請求項４】
前記離型層（８）は、シリコーンオイルで被覆された紙類又はフィルム類であることを特徴とする請求項２に記載の高信頼性フレキシブルタグ。
【請求項５】
前記軟質面材（１）は、布地、フィルム類又は合成紙類であることを特徴とする請求項１に記載の高信頼性フレキシブルタグ。
【請求項６】
前記第１の接着剤（２）及び前記第２の接着剤（６）は、ゴム類、ポリオレフィン類及びアクリレート類のうちの１つ又は複数を含む不乾性接着剤であることを特徴とする請求項１に記載の高信頼性フレキシブルタグ。
【請求項７】
前記軟質面材（１）の厚さが２０ｕｍ〜１００ｕｍであることを特徴とする請求項１に記載の高信頼性フレキシブルタグ。
【請求項８】
前記可撓性材料（７）の厚さが２０ｕｍ〜１００ｕｍであり、前記離型層（８）の厚さが５０ｕｍ〜９０ｕｍであることを特徴とする請求項２に記載の高信頼性フレキシブルタグ。
【請求項９】
前記第１の接着剤（２）の厚さが６ｕｍ〜２５ｕｍであり、前記第２の接着剤（６）の厚さが１０ｕｍ〜２５ｕｍであることを特徴とする請求項１に記載の高信頼性フレキシブルタグ。
【考案の詳細な説明】
【技術分野】
【０００１】
本考案は、高信頼性フレキシブル電子タグに関し、電子タグ設計の技術分野に属する。
【背景技術】
【０００２】
ＲＦＩＤタグ応用では、アパレル産業の応用は、常に応用の最前線にある。アパレル産業のＲＦＩＤタグの応用が広がるにつれて、使用者は、衣類に用いられるＲＦＩＤタグに対して、より高くて幅広いニーズがある。衣料生地は多種多様であり、その中には柔らかい快適性を特徴とする布地が少なくないが、従来のＲＦＩＤタグは比較的硬く、そのような柔らかい快適な衣料品に用いると、この衣料品に対するお客様の受容性に影響を及ぼす可能性がある。これを前提として、フレキシブルＲＦＩＤタグが必要になる。また、続々と上市されてきた布地タグにおいては、アンテナ基材の影響により、タグの柔軟性が劣っているという問題がある。
【考案の概要】
【考案が解決しようとする課題】
【０００３】
本考案が解決しようとする技術的課題は、従来技術の欠点を克服し、柔軟性を実現すると同時に、信頼性と耐久性の要求を両立する高信頼性フレキシブル電子タグを提供することである。
【課題を解決するための手段】
【０００４】
上記技術的課題を解決するために、本考案に係る高信頼性フレキシブルタグは、軟質面材と、底材とを含み、前記軟質面材と前記底材との間にアンテナと、チップとが設けられ、前記チップは、前記アンテナ上に置かれ、前記軟質面材と前記アンテナとの間には、第１の接着剤が設けられ、前記チップと前記底材との間には、第２の接着剤が設けられる。
【０００５】
好ましくは、前記底材は、可撓性材料又は離型層である。
【０００６】
好ましくは、前記可撓性材料は、布地、フィルム類又は合成紙類である。
【０００７】
好ましくは、前記離型層は、シリコーンオイルで被覆された紙類又はフィルム類である。
【０００８】
好ましくは、前記軟質面材は、布地、フィルム類又は合成紙類である。
【０００９】
好ましくは、前記第１の接着剤及び前記第２の接着剤は、ゴム類、ポリオレフィン類及びアクリレート類のうちの１つ又は複数を含む不乾性接着剤である。
【００１０】
好ましくは、前記軟質面材の厚さが２０ｕｍ〜１００ｕｍであることが好ましい。
【００１１】
好ましくは、前記可撓性材料の厚さが２０ｕｍ〜１００ｕｍであり、前記離型層の厚さが５０ｕｍ〜９０ｕｍである。
【００１２】
好ましくは、前記第１の接着剤の厚さが６ｕｍ〜２５ｕｍであり、前記第２の接着剤の厚さが１０ｕｍ〜２５ｕｍである。
【考案の効果】
【００１３】
タグを貼り合わせるときにアンテナ基材を取り除くことにより、タグ自体がより柔軟になり、かつアンテナ線路自体は依然として素材であるため、工程管理が良ければ、タグの信頼性に影響することはない。フレキシブルタグは、最適化後にＲＦＩＤ業界高温高湿、温度循環及び耐折曲性の信頼性基準以上に達することができる。この工程においても超音波封着を必要とせず、従来の貼り合わせ機で加工を完成でき、コストを低減することができる。
【００１４】
また、アンテナ線路は、転写の方式でアンテナ基材が除去され、布などの可撓性材料との接着が接着剤を採用するため、可撓性材料の選択がより広範囲となる。可撓性材料の耐伸張性は、可撓性材料自体が顕著に変形しない限り、タグの性能に影響を及ぼさない。密度の点では実質的に要求がない。この結合方式は、工程改良の条件で、線路自体の信頼性に著しい影響を及ぼさない。
【図面の簡単な説明】
【００１５】
【図１】本考案に係る底材が可撓性材料である構造を示す概略図である。
【図２】本考案に係る底材が離型層である構造を示す概略図である。
【考案を実施するための形態】
【００１６】
本考案の実施の形態については、図面を参照して以下に説明する。以下の実施例は、本考案をより明確に説明するためのものであり、本考案の保護範囲を限定するものではない。
【００１７】
（実施例１）
図１に示すように、高信頼性フレキシブルタグは、軟質面材１と底材とを含み、上記軟質面材１と底材との間にアンテナ４と、チップ５とが設けられ、上記チップ５は、アンテナ４上に置かれ、上記軟質面材１とアンテナ４との間には、第１の接着剤２が設けられ、上記チップ５と底材との間には、第２の接着剤６が設けられる。
【００１８】
上記底材は、可撓性材料７である。上記可撓性材料７は、布地、フィルム類又は合成紙類である。上記軟質面材１は、布地又はフィルム類又は合成紙類である。上記第１の接着剤２及び第２の接着剤６は、同種の接着剤であっても異種の接着剤であってもよく、業界内のあらゆるタイプの不乾性接着剤が適用可能である。不乾性接着剤は、主としてゴム類（主に熱可塑性エラストマーＳＢＳ）、ポリオレフィン類（主にランダムポリオレフィンＡＰＡＯ）、アクリル酸エステル類（主にロジン、ロジン樹脂、テルペン樹脂、石油樹脂等）である。上記軟質面材１の厚さは２０ｕｍ〜１００ｕｍであり、上記底材である可撓性材料７の厚さは２０ｕｍ〜１００ｕｍであり、上記第１の接着剤２の厚さは６ｕｍ〜２５ｕｍであり、上記第２の接着剤６の厚さは１０ｕｍ〜２５ｕｍである。
【００１９】
（実施例２）
図２に示すように、高信頼性フレキシブルタグは、軟質面材１と底材とを含み、上記軟質面材１と底材との間にアンテナ４と、チップ５とが設けられ、上記チップ５は、アンテナ４上に置かれ、上記軟質面材１とアンテナ４との間には、第１の接着剤２が設けられ、上記チップ５と底材との間には、第２の接着剤６が設けられる。
【００２０】
上記底材は、離型層８である。上記離型層８の材質は、シリコーンオイルで被覆された紙類やフィルム類である。
【００２１】
上記軟質面材１は、布地、フィルム類又は合成紙類である。上記第１の接着剤２及び第２の接着剤６は、同種の接着剤であっても異種の接着剤であってもよく、業界内の各種不乾性接着剤が適用可能である。不乾性接着剤は、主としてゴム類（主に熱可塑性エラストマーＳＢＳ）、ポリオレフィン類（主にランダムポリオレフィンＡＰＡＯ）、アクリル酸エステル類（主にロジン、ロジン樹脂、テルペン樹脂、石油樹脂等）である。上記軟質面材１の厚さは２０ｕｍ〜１００ｕｍであり、上記底材である離型層８の厚さは５０ｕｍ〜９０ｕｍであり、上記第１の接着剤２の厚さは６ｕｍ〜２５ｕｍであり、上記第２の接着剤６の厚さは１０ｕｍ〜２５ｕｍである。
【００２２】
上記底材が離型層８であるため、使用時に離型層８からフレキシブルタグを引き剥がして衣服に貼り付け、タグの柔軟性がより向上する。
【００２３】
本考案に係るフレキシブル電子タグは、アンテナが基材を有しない。面材及び底材は、柔軟なものであり、引っ張られても著しく変形しないものであれば良く、特に要求されない。超音波封着を必要としない。布地のようなフレキシブル材料を２層封着したものであってもよく、布地のようなフレキシブル材料を単層封着したものであってもよい。信頼性はＲＦＩＤ業界の信頼度基準以上である。フレキシブル電子タグにおけるアンテナ線型は何ら制限されない。
【００２４】
本考案によれば、タグを貼り合わせるときにアンテナ基材を取り除くことにより、タグ自体がより柔軟になり、かつアンテナ線路自体は依然として素材であるため、工程管理が良ければ、タグの信頼性に影響することはない。フレキシブルタグは、最適化後にＲＦＩＤ業界高温高湿、温度循環及び耐折曲性の信頼性基準以上に達することができる。この工程においても超音波封着を必要とせず、従来の貼り合わせ機で加工を完成でき、コストを低減することができる。
【００２５】
本考案によれば、アンテナ線路は、転写の方式でアンテナ基材が除去され、布などの可撓性材料との接着が接着剤を採用するため、可撓性材料の選択がより広範囲となる。可撓性材料の耐伸張性は、可撓性材料自体が顕著に変形しない限り、タグの性能に影響を及ぼさない。密度の点では実質的に要求がない。この結合方式は、工程改良の条件で、線路自体の信頼性に著しい影響を及ぼさない。
【００２６】
以上、本考案の好ましい実施形態を説明したが、本考案は上記実施形態に記載の範囲には限定されない。本考案の要旨を逸脱しない範囲で上記各実施の形態に多様な変更又は改良を加えることができ、当該変更又は改良を加えた形態も本考案の技術的範囲に含まれる。
【符号の説明】
【００２７】
１…軟質面材
２…第１の接着剤
４…アンテナ
５…チップ
６…第２の接着剤
７…可撓性材料
８…離型層
【図１】
0003225905.tif 000003
【図２】
0003225905.tif 000004